(57)【要約】【課題】作業性を向上するとともに、軽量化を実現でき、コストダウンも可能なエアーダクト用吊りバンドを提供する。【解決手段】バンド本体10は、ダクトの外周に適合するＣ字状に形成された支持部12と、該支持部の両端部から半径方向外方に延びるとともに、取付ボルトを挿通可能なボルト挿通孔14a が設けられている一対の取付部14,14 とを有する。ネジプレート20には、透孔22にバーリング加工を施したバーリング部24が形成され、かつバーリング部の内側には取付ボルトが螺合可能な雌ネジ26が形成されており、ネジプレート20は、バンド本体10の片方の取付部14に、ボルト挿通孔14a と同心に、かつバーリング部24を外側として、取付部14を抱え込むようにしてかしめることによって一体的に取り付けられる。【選択図】図１
2006132585.tif 000002
【特許請求の範囲】
【請求項１】
空調用エアーダクトを吊り下げ設置するために用いるエアーダクト用吊りバンドであって、
バンド本体と、該バンド本体に取り付けられたネジプレートとを備えてなり、
バンド本体は、ダクトの外周に適合するＣ字状に形成された支持部と、該支持部の両端部から半径方向外方に延びるとともに、取付ボルトを挿通可能なボルト挿通孔が設けられている一対の取付部とを有し、
ネジプレートには、透孔にバーリング加工を施したバーリング部が形成され、かつバーリング部の内側には取付ボルトが螺合可能な雌ネジが形成されており、
ネジプレートは、バンド本体の片方の取付部に、ボルト挿通孔と同心に、取付部を抱え込むようにしてかしめることによって一体的に取り付けられている、
エアーダクト用吊りバンド。
【請求項２】
ネジプレートは、バンド本体の片方の取付部に、バーリング部を外側として、取り付けられている、請求項１に記載のエアーダクト用吊りバンド。
【請求項３】
バンド本体は、厚さ０．４〜０．６ｍｍのステンレススチール製の帯状薄板を成形してなる、請求項１又は２に記載のエアーダクト用吊りバンド。
【請求項４】
ネジプレートは、厚さ１．０〜１．２ｍｍの軽合金製である、請求項１〜３のいずれかに記載のエアーダクト用吊りバンド。
【発明の詳細な説明】
【技術分野】
【０００１】
本発明は、建築物の天井等に空調用エアーダクトを吊り下げ設置するために用いるエアーダクト用吊りバンドに関する。
【背景技術】
【０００２】
従来、建築物の天井等に空調用エアーダクトを吊り下げ設置する場合、ダクトの外周に適合する支持部を有する吊りバンドが用いられている。
その代表例を図５〜７を参照して説明する。図５に示すように、配管が必要な場所に適宜間隔で予め吊りボルトＳが床スラブ等の下方に垂下されており、この吊りボルトＳには吊り金具５０がナットＮを用いて付設されている。
この吊り金具５０に対し、吊りバンド６０を用いてエアーダクトＤを吊り下げ固定する。吊りバンド６０は、図６，７に示すとおり、エアーダクトＤの外周に適合するＣ字状の支持部６１と、この支持部の両端部から外方へ起立する一対の取付部６２を備えており、取付部６２，６２にはボルト孔６３が設けられている。支持部６１でエアーダクトＤの外周を抱え込むとともに、取付部６２，６２で吊り金具５０を挟み、ボルト孔６３及び吊り金具５０に形成された透孔にボルト６５を挿通させ、ナット６６によって固定する。
【０００３】
上記従来の吊りバンド６０を用いた吊り下げ設置によると、ボルト６５を一方の手に持ってボルト孔６３及び吊り金具５０に形成された透孔に片側から挿通させるとともに、挿通させたボルト６５の先端側で他方の手にナット６６を持って所定位置に保持して、ボルト６５と螺合しなければならない。このため、作業の手間がかかるばかりではなく、誤ってナット６６を落としてしまうことも多く、部品の損失や作業効率を悪化させるという不都合がある。
【０００４】
このような作業性の悪さを改善するために、特許文献１に記載の配管用吊りバンドでは、吊りバンドをヒンジで分割し、さらにボルト又はナットの一方を、吊り金具の取付部に、カシメ、溶接、接着等で固着するとともに、他方のナット又はボルトを回動自在に固定している。
また、空調用ダクトとは使用目的の異なる自動車等の排気管を固定する金具として、特許文献２には、吊りバンド本体にバーリング加工を施し、ここに雌ネジを加工することによりナットを必要としないようにした構成が開示されている。
しかし、特許文献１に記載の配管用吊りバンドでは、作業効率の改善は期待できるものの、取付部にナット等を回動自在に固定するためにこれに対応した特殊な構造を採用しなければならず、材料費、製作費が嵩み、ナットの肉厚の増加によって重量も増大するという問題がある。また、吊りバンドを２分割してヒンジで結合するため部品点数が多くなり、必然的に価格も高くなる。
また、特許文献２に記載の支持装置では、吊りバンド本体に直接バーリング加工を行い、ネジを形成するためには、その形状から製作に手間がかかることに加え、吊りバンド本体にネジ加工を施すために板厚を厚くせざるを得ず、価格及び部品重量の増大を避けられないという問題がある。
空調工事は、高所で、しかも天井等の狭い空間で作業するため、設備や器具はできるだけ軽量であることが望ましい。
さらに、昨今の経済状況からコストダウンの要望が強く、より安価に製造可能な資材の提供が望まれていた。
【０００５】
【特許文献１】特開平９−１５２０６３号公報
【特許文献２】実開平１−１６０１１３号公報
【発明の開示】
【発明が解決しようとする課題】
【０００６】
本発明は、上記のような従来技術の不都合を解消し、要望に応えるべくなされたものであって、作業性を向上するとともに、軽量化を実現でき、コストダウンも可能なエアーダクト用吊りバンドを提供することをその目的とする。
【課題を解決するための手段】
【０００７】
(1) 本発明は、空調用エアーダクトを吊り下げ設置するために用いるエアーダクト用吊りバンドにおいて、
バンド本体と、該バンド本体に取り付けられたネジプレートとを備えてなり、
バンド本体は、ダクトの外周に適合するＣ字状に形成された支持部と、該支持部の両端部から半径方向外方に延びるとともに、取付ボルトを挿通可能なボルト挿通孔が設けられている一対の取付部とを有し、
ネジプレートには、透孔にバーリング加工を施したバーリング部が形成され、かつバーリング部の内側には取付ボルトが螺合可能な雌ネジが形成されており、
ネジプレートは、バンド本体の片方の取付部に、ボルト挿通孔と同心に、かつバーリング部を外側として、取付部を抱え込むようにしてかしめることによって一体的に取り付けられている、
エアーダクト用吊りバンドである。
(2) 本発明においては、ネジプレートは、バンド本体の片方の取付部に、バーリング部を外側として、取り付けられているものが好ましい。
(3) また、バンド本体は、厚さ０．４〜０．６ｍｍのステンレススチール製の帯状薄板を成形してなるものが好ましい。
(4) また、ネジプレートは、厚さ１．０〜１．２ｍｍの軽合金製であるものが好ましい。
【発明の効果】
【０００８】
(1) 本発明によれば、取付ボルトを一方の取付部のボルト挿通孔から吊り金具の透孔を経て挿通させ、他方の取付部に一体的に取り付けたネジプレートに螺合することにより吊りバンドが固定されるので、取付ボルトに対応するナットを保持する必要がなく、ナットを落とすこともなく、ダクトの吊り下げ作業を簡単かつ確実に行うことができる。吊りバンドが固定される吊り金具も既存の安価なものをそのまま使用することができる。また、取付ボルトに螺合するナットが不要であり、ナットの代わりとなるネジプレートはナットよりも軽くできるため、軽量化を実現できる。さらに、ネジプレートは、バンド本体の片方の取付部にかしめることによって一体的に取り付けられているため、ナットを取付部に溶接する等の難しい加工を必要とせず、簡単かつ低コストに製作することができる。
(2) ネジプレートは、バンド本体の片方の取付部に、バーリング部を外側として、取り付けられている構成とすることにより、吊りバンドを固定する際、取付ボルトがバーリング部の内側の透孔に進入しやすく、取付ボルトの螺着が容易かつ確実に行われる。
(3) バンド本体は、厚さ０．４〜０．６ｍｍのステンレススチール製の帯状薄板を成形してなる構成により、バンド本体を簡単に製作することができ、確実に軽量化及びコストダウンが実現される。
(4) ネジプレートは、厚さ１．０〜１．２ｍｍの軽合金製であるものとする構成により、さらに確実に軽量化及びコストダウンが実現される。
【発明を実施するための最良の形態】
【０００９】
本発明に係る実施例を挙げ、図面を参照して説明するが、本発明は以下の形態に限定されるものではなく、本発明の要旨の範囲で種々の変形、付加等が可能である。なお、各図において同じ要素には同じ符号を用い、適宜その説明を省略する場合がある。
【実施例】
【００１０】
図１は本発明に係るエアーダクト用吊りバンド１の実施例の斜視図、図２は同実施例のネジプレート２０部分を拡大して示す平断面図、図３は取付け前のネジプレート２０を示すもので（ａ）は平面図、（ｂ）は（ａ）のｂ−ｂ断面図、図４は実施例に係るエアーダクト用吊りバンド１の取付例を示す斜視図である。
【００１１】
エアーダクト用吊りバンド１は、バンド本体１０と、該バンド本体１０に取り付けられたネジプレート２０とを備えてなる。
バンド本体１０は、ダクトの外周に適合するＣ字状に形成された支持部１２と、該支持部１２の両端部から屈曲して半径方向外方に延びるとともに、取付ボルト３０を挿通可能なボルト挿通孔１４ａ，１４ａが設けられている一対の取付部１４，１４とを有してなる。
バンド本体１０は、１枚の帯状薄板を成形してなるものが好ましい。この場合、支持部１２でダクトを抱えこむ際に、対向する取付部１４，１４間を手で広げて支持部１２の内側にダクトを収めた後、自然に元の状態に復帰する程度の弾性を有する素材を用いる。特に、厚さ０．４〜０．６ｍｍのステンレススチール製の帯状薄板を成形してなるものが好ましい。バンド本体１０の幅は、通常２０〜３５ｍｍ程度である。
なお、必要に応じ、支持部１０を、ヒンジ部で回動自在に連結された回動式のものとして構成してもよい。
【００１２】
ネジプレート２０には、透孔２２にバーリング加工を施したバーリング部２４が形成され、かつバーリング部２４の内側には取付ボルト３０が螺合可能な雌ネジ２６が形成されている。バーリング加工は、透孔２２の周りに立ち上がり加工を施すものである。バーリング加工によって形成されるバーリング部２４の高さｈ１は、１〜２ｍｍ程度あればよい。
ネジプレート２０は、好ましくは、アルミニウム、アルミニウム軽合金、真鍮等、錆が発生しにくく、成形し易く、比較的軽量な金属板により形成される。特に厚さ１．０〜１．２ｍｍの軽合金製であるものが好ましい。
ネジプレート２０は、図１，２に示すとおり、バンド本体１０の片方の取付部１４に、ボルト挿通孔１４ａと同心に、かつバーリング部２４を外側として、つまり対向する取付部１４，１４に挟まれる側ではなく、取付部１４の外側の面に、取付部１４を抱え込むようにしてかしめることによって一体的に取り付けられている。かしめ加工は、接着剤等を使用せずに、プレス加工によってネジプレート２０の両側端部を折り曲げて取付部１４に固くとめることができる。ネジプレート２０は、通常、取付部１４に対し、バーリング部２４の形成された面と反対側の面が取付部１４に接するように取付けられ、また、好ましくは、前記のとおり、バーリング部２４を外側として、つまり対向する取付部１４，１４に挟まれる側ではなく、取付部１４の外側の面に、取り付けられる。
【００１３】
上記エアーダクト用吊りバンド１の製作方法を説明する。
＜バンド本体＞
先ず、所定幅の１枚の帯状薄板を用意し、ダクトの外径に合わせてその長さを想定し、切断する。次いで、後に取付部１４となる両端にＲ部１４ｂを形成するとともにボルト挿通孔１４ａを穿設する。そして、帯状薄板の両端部を折り曲げて取付部１４，１４を形成するとともにダクトの外周に適合するように環状（Ｃ字状）に曲げて支持部１２を形成する。これにより、Ｃ字状の支持部１２と、その両端部に連なり、その両端部から屈曲して半径方向外方に向けて延びる取付部１４，１４とからなるバンド本体１０が完成する。
【００１４】
＜ネジプレート＞
先ず、所定幅の矩形の軽合金製板材を用意し、その中央部に透孔２２を穿設し、バーリング加工を施して、透孔２２の周囲に起立したバーリング部２４を形成する。この工程に連続してバーリング部２４の内側に雌ネジ加工（２山〜３山）を施す。これにより、ネジプレート２０が完成する（図３参照）。
【００１５】
＜ネジプレートの取付け＞
ネジプレート２０のバーリング部２４の透孔２２が、バンド本体１０の一方の取付部１４のボルト挿通孔１４ａと同心となるように、かつバーリング部２４を外側として、ネジプレート２０を取付部１４に被せる。次いで、ネジプレート２０の両サイドを折り曲げて取付部１４を挟みこみ、抱え込むようにしてかしめることによって取り付け、バンド本体１０とネジプレート２０とを一体化させる。このようにして、エアーダクト用吊りバンド１が完成する。
【００１６】
得られたエアーダクト用吊りバンド１は、図４に示すように、床スラブ等の下方に垂下された吊りボルトＳにナットＮを用いて付設した吊り金具５０を取付対象として固定される。吊り金具５０は数多く流通している公知の部材を用いることができる。
すなわち、支持部１０でエアーダクトＤの外周を抱え込み、吊り金具５０の、対向配置されて上下方向に延びる下方取付部５２に対し、取付部１０，１０で挟み、ボルト挿通孔１４ａ及び吊り金具５０の下方取付部５２に形成された透孔にボルト３０を挿通させ、ボルト３０をバーリング部２４の内側に形成された雌ネジ２６に螺着して固定する。その作業はナットを保持する必要がなく、ナットを落下させることもなく簡単に行うことができる。
【図面の簡単な説明】
【００１７】
【図１】エアーダクト用吊りバンド１の実施例の斜視図である。
【図２】同実施例の要部を示す平断面図である。
【図３】取付け前のネジプレート２０を示すもので（ａ）は平面図、（ｂ）は（ａ）のｂ−ｂ断面図である。
【図４】実施例に係るエアーダクト用吊りバンド１の取付例を示す斜視図である。
【図５】従来の吊りバンドの使用状態を示す斜視図である。
【図６】従来の吊りバンドを示す正面図である。
【図７】従来の吊りバンドを示す側面図である。
【符号の説明】
【００１８】
１  エアーダクト用吊りバンド
１０  バンド本体
１２  支持部
１４  取付部
１４ａ  ボルト挿通孔
２０  ネジプレート
２２  透孔
２４  バーリング部
２６  雌ネジ
【図１】
2006132585.tif 000003
【図２】
2006132585.tif 000004
【図３】
2006132585.tif 000005
【図４】
2006132585.tif 000006
【図５】
2006132585.tif 000007
【図６】
2006132585.tif 000008
【図７】
2006132585.tif 000009